(57)【要約】【課題】  本発明は組み込み型調理器において、天板部の組み立て性、お手入れ性、デザイン性を向上せしめることを課題とするものである。【解決手段】  ガラスと、外周縁部に溝を有するガラス受けと、先端に前記ガラス受けの溝に係合する曲げ部を有し、前記ガラスと前記ガラス受けの外周を挟みこむ構成とした略コ字状の枠で構成された機器天板を有する構成としてある。従って組み立て性を向上せしめるとともに、お手入れ性を向上しデザイン性を高めるという効果がある。【選択図】  図１
2005083695.tif 000002
【特許請求の範囲】
【請求項１】
ガラスからなる天板の上板と、前記上板の下面に設けて外周縁部に溝を有する上板受けと、前記上板と前記上板受けの外周縁を略コ字状の枠で挟み込む構成とし、前記枠はその端部に上板受けの溝に係合する曲げ部を有することを特徴とした機器天板を備えた調理器。
【請求項２】
上板受けの溝にシール部材を備えた請求項１記載の調理器。
【請求項３】
シール部材は、帯状で舌部を有し前記舌部を枠の曲げ部に嵌入させ、上板受けの溝に挟みこむ構成とした機器天板を有する請求項１または２記載の調理器。
【請求項４】
シール部材は、上板受けの溝に帯状のゴムを貼りつける構成とした請求項１から３のいずれか１項記載の調理器。
【請求項５】
シール部材は、上板受けの溝にシリコン樹脂を塗布し加熱発泡させたものとした請求項１から３のいずれか１項記載の調理器。
【発明の詳細な説明】
【技術分野】
【０００１】
本発明は、調理器のうちでも特にシステムキッチンのカウンターに組み込まれる組み込み型調理器に関するものである。
【背景技術】
【０００２】
従来のこの種の天板とシール部の構成は、未公開自社出願の特願２００３−０４２８４１号にあるように、金属材料または金属材料の表面にフッソコーティングされた天板と、その外縁下部にシール部を備えるように構成されている。
【０００３】
そして上記天板がシステムキッチンのカウンター面に載置されシール部で水や調理時の吹き零れがカウンター内に浸入を防止するようにようになっていた。    
【発明の開示】
【発明が解決しようとする課題】
【０００４】
しかしながら上記従来の調理器では、金属材料または金属材料の表面にフッソコーティングされた天板の外縁下部にシール部を備えるような構成で、煮零れ等がこびりついた時には、お手入れしにくかったり、お手入れ時に傷がついたり、シール部を天板に取り付ける際に、位置決めがないため天板からはみ出したり、内側に入りすぎたりし、外観上不具合になり、デザイン性も求められるという課題があった。
【課題を解決するための手段】
【０００５】
本発明は上記課題を解決するため、ガラスからなる天板の上板と、前記上板の下面に設けて外周縁部に溝を有する上板受けと、前記上板と前記上板受けの外周縁を略コ字状の枠で挟み込む構成とし、前記枠はその端部に上板受けの溝に係合する曲げ部を有することを特徴とした機器天板を備えた調理器としたものである。
【０００６】
上記発明によれば、上板受けに溝を設けて、枠は先端に曲げ部を有して上板受けの溝に係合するような構成としたので、機器の組み立て時、天板の部材の位置決めがしやすく、組み立て性が向上し、使用者にとっては手入れがしやすくなり、かつデザイン性も高めることができる。
【発明の効果】
【０００７】
本発明の調理器は、機器天板の上板であるガラスと、ガラス下面に設けられ、その外周縁部に溝を有する上板受けとを、略コの字上の枠で挟みこむ構成としたもので、枠には外周縁部の溝に係合する曲げ部を備えている。この構成によって、天板部材の一体構成がしやすくなり、組み立て性が向上しかつ、デザイン性、手入れ性を高めることができる。
【発明を実施するための最良の形態】
【０００８】
第１の発明は、ガラスからなる天板の上板と、前記上板の下面に設けて外周縁部に溝を有する上板受けと、前記上板と前記上板受けの外周縁を略コ字状の枠で挟み込む構成とし、前記枠はその端部に上板受けの溝に係合する曲げ部を有することを特徴とした機器天板を備えた調理器とした。
【０００９】
そして、機器天板がガラスからなる上板と上板受けと、これらの外周を挟みこむ略コ字状の枠で構成されたため、天板の部材の組み合わせがしやすくなり、組み立て時の作業性が向上する。ならびにデザイン性を高め、加えて調理器の使用者にとっては、ガラス天板で天板の手入れがしやすくなり、加えてカウンター部と調理器の境界部の手入れがしやすくなる。
【００１０】
第２の発明は、上板受けの溝にシール部材を備えた構成とした。
【００１１】
そして、シール部材を天板部材と一体構成としたことにより、より、組み立て性が向上するとともに、確実なシール部材の位置が決まり、シール性も向上する。
【００１２】
第３の発明は、シール部材は、帯状で舌部を有し前記舌部を枠の曲げ部に嵌入させ、上板受けの溝に挟みこむ構成とした機器天板を有する調理器とした。
【００１３】
そして、この構成により、接着剤等なしでシール部材を備えた機器天板の組み立て性を向上することができる。
【００１４】
第４の発明は、シール部材を上板受けの溝にシール部材は帯状のゴムを貼りつける構成とした。
【００１５】
そして、シール部材の位置決めを容易にし組み立て性を向上することができる。さらに帯状のゴムとしたので、部材の取替えもしやすくなる。
【００１６】
第５の発明は、シール部材を上板受けの溝にシリコン樹脂を塗布し加熱発泡させた構成とした。
【００１７】
そして、機器天板がガラス受け溝にシリコン樹脂を塗布し加熱発泡させたシール部を備えたため、シール部材の位置決め、取り付けを容易にし組み立て性を向上する事ができる。
【実施例１】
【００１８】
以下、本発明の実施例について図面を用いて説明する。
【００１９】
（実施例１）
図１は本発明の実施例１の調理器の斜視図でシステムキッチンのカウンターに組み込んだ場合を示している。図２は同調理器の天板部材の要部断面図ある。
【００２０】
図１、図２において、１はシステムキッチンのカウンターで、２は前記システムキッチンのカウンター１に設置された組み込み型調理器で、３は前記組み込み型調理器２の天板の上板を構成するガラスで４は前記ガラス３下面に設けられ前記ガラス３を受け外周縁部に溝３aを有するガラス受け（上板受け）で、５は前記ガラス３と前記ガラス受け４の外周を挟みこむ構成とした略コ字状の枠で先端に前記ガラス受け４の溝４aに係合する曲げ部５aを有する。この枠は、ステンレス製の部材を用いて構成しているが、アルミや、樹脂を用いた構成としてもよい。６は、ガラス受け溝４aにシリコン樹脂を塗布し加熱発泡させたシール部材である。
【００２１】
次に動作、作用について説明すると、ガラス３の外周を略コ字状の枠５で構成することにより枠５を細く構成することが出来る。さらにガラス受け４の溝４aに枠５の曲げ部５aを係合させることにより、天板部材を組み上げる際の部材の位置が決まりやすくなる。
【００２２】
これによって、調理器の天板部材の組み立て性を向上し、加えて、デザイン性も向上し、使用者にとっては手入れがしやすくなる。さらに、ガラス受け溝４aを設けることによりシール部６の位置決めを容易にし組み立て性をさらに向上する事ができる。そして、シール部材の位置も正確に決まりシール性がよくなるので、使用者は、調理器のガラス天板による手入れのしやすさに加え、システムキッチンのカウンターとの境界部の掃除や、メンテナンスがしやすくなる。
【００２３】
なお、シール部材は、ガラス受け溝４ａに帯状のゴムを貼りつけたシール部６を備えたものとしてもよい。ガラス受け溝４ａに帯状のゴムを貼りつけた構成とすることで、シール部材の位置決めがしやすくなり、組み立て性が向上するのに加え、シール部材の取り替えの必要が生じた際には、帯状のゴム部材なので取り扱いが容易で、取り替えなどのメンテナンスが非常にしやすい。
【００２４】
（実施例２）
図３は本発明の実施例２の調理器の天板部材の要部断面図で、舌部７aを有し前記舌部７aを枠５の先端曲げ部５aに嵌入させ、ガラス受け溝４aに挟みこむ構成とした帯状のシールゴム７を備えたものである。なお、実施例１と同一符号のものは同一構造を有し、説明は省略する。
【００２５】
この構成により、帯状のシールゴム７の舌部７aを枠の先端曲げ部５aに嵌入させ、ガラス受け溝４aに挟みこむ構成とすることにより、接着剤等なしでシール部を取り付けることが可能となり、組み立て作業がしやすくなり、部材も減らすことができるという効果がある。
【産業上の利用可能性】
【００２６】
以上のように、本発明の調理器は、その天板構成をガラスとその周辺部材としたことで、組み立て性の向上、手入れ性の向上を図ることができるので、ガスや電気などの熱源を限定しないほかの調理機器や、システムキッチンに組み込む厨房機器の天板構成にも適用できる。
【図面の簡単な説明】
【００２７】
【図１】本発明の実施例１における調理器の外観斜視図
【図２】本発明の実施例１における調理器の天板部材の要部断面図
【図３】本発明の実施例２における調理器の天板部材の要部断面図
【符号の説明】
【００２８】
３  ガラス（上板）
４  ガラス受け（上板受け）
４a  溝
５  枠
５a  曲げ部
６  シリコン樹脂（シール部材）
７  シールゴム（シール部材）
７a  舌部
【図１】
2005083695.tif 000003
【図２】
2005083695.tif 000004
【図３】
2005083695.tif 000005